(57)【要約】【課題】遊技盤に取り付けられる飾り枠のリユース性を高めるとともに、証紙が設けられている飾り枠を遊技盤から取り外し難くした弾球遊技機を提供する。【解決手段】飾り枠は、複数の構成部材から構成されるとともに、複数の構成部材のうち、互いに隣接する２つの構成部材の一部がそれぞれ、遊技盤に対して前後に重ね合わせられた状態、かつ、重ね合わせの前後関係において、前記証紙が設けられるべき構成部材が、遊技盤側の最も後側に配された状態で、遊技盤に取り付けられている。【選択図】図３
2014097215.tif 000002
【特許請求の範囲】
【請求項１】
遊技盤と、遊技盤に取り付けられるとともに所定の証紙が設けられる飾り枠とを備えた弾球遊技機において、
前記飾り枠は、複数の構成部材から構成されるとともに、該複数の構成部材のうち、互いに隣接する２つの構成部材の一部がそれぞれ、遊技盤に対して前後に重ね合わせられた状態、かつ、重ね合わせの前後関係において、前記証紙が設けられるべき構成部材が、遊技盤側の最も後側に配された状態で、遊技盤に取り付けられていることを特徴とする弾球遊技機。
【請求項２】
前記飾り枠を構成し互いに隣接する２つの構成部材のうち、重ね合わせの前後関係において前側に位置する一方の構成部材は、裏面側から遊技盤に向けて突出する取付部を備えるとともに、
重ね合わせの前後関係において後側に位置する他方の構成部材は、前記取付部が挿通されるべき挿通孔を備え、
前記遊技盤には、各構成部材の挿通孔に対応する位置にそれぞれ取付孔が設けられ、
各構成部材は、各取付部を取付孔に係止して抜け止め効果を発揮するものの、各構成部材を破壊することなく取り外し可能な係止構造により、遊技盤に取り付けられていることを特徴とする請求項１に記載の弾球遊技機。
【請求項３】
前記証紙が設けられるべき構成部材は、証紙が設けられる領域に隣接して、裏面側から遊技盤に向けて突出する取付部を備えるとともに、前記遊技盤には、取付部に対応する位置に取付孔が設けられ、
前記証紙が設けられるべき構成部材は、取付部を取付孔に係止して抜け止め効果を発揮するとともに、構成部材を破壊しない限り取り外し不能な係止構造により、遊技盤に取り付けられていることを特徴とする請求項１または２に記載の弾球遊技機。
【発明の詳細な説明】
【技術分野】
【０００１】
本発明は、パチンコ機等の弾球遊技機に関する。
【背景技術】
【０００２】
従来、遊技機をパチンコ店のホールに納入し設置するにあたっては、事前に公安委員会の型式検定に適合しておく必要がある。また、遊技機をホールに設置し営業するにあたりホールは提出書類を所轄警察署を経由して公安委員会に提出し、その後、ホールに設置された遊技機について所轄警察署の実地調査で提出書類に記載された製造番号と遊技機に貼り付けられた証紙の製造番号とが一致するか否かの確認などが行われる。この実地調査に適合すると、遊技機はホールでの営業が許可されることになる。
【０００３】
弾球遊技機において前記の証紙は、遊技盤の右下の部位に取り付けられている。より具体的には、この証紙は、遊技盤に取り付けられる飾り枠（装飾部材）の右下の部位に取り付けられる（特許文献１参照）。
【先行技術文献】
【特許文献】
【０００４】
【特許文献１】特許３６９６５３４号公報
【発明の概要】
【発明が解決しようとする課題】
【０００５】
ところで、近年、エコロジーへの関心の高まりから、遊技機業界でもリユース対応が求められている。これにより、遊技機メーカでは、複数機種にわたって飾り枠を共用化し、そのリユース性を高める試みが行われている。
【０００６】
しかしながら、上記のようにリユース性を高めようとした場合、飾り枠に貼り付けられる証紙については、その使用目的から、不正に転用・悪用されてしまうのは望ましくない。したがって、飾り枠を共用化するにあたり、飾り枠に設けられている証紙については、少なくとも遊技盤からの取り外しが難しくなるように飾り枠を構成することが望ましい。
【０００７】
本発明は、上記の事情に鑑みてなされたものであり、遊技盤に取り付けられる飾り枠のリユース性を高めるとともに、証紙が設けられている飾り枠を遊技盤から取り外し難くした弾球遊技機を提供することを目的とする。
【課題を解決するための手段】
【０００８】
本発明によれば、遊技盤と、遊技盤に取り付けられるとともに所定の証紙が設けられる飾り枠とを備えた弾球遊技機において、前記飾り枠は、複数の構成部材から構成されるとともに、該複数の構成部材のうち、互いに隣接する２つの構成部材の一部がそれぞれ、遊技盤に対して前後に重ね合わせられた状態、かつ、重ね合わせの前後関係において、前記証紙が設けられるべき構成部材が、遊技盤側の最も後ろに配された状態で、遊技盤に取り付けられていることを特徴とする。
【０００９】
かかる構成によれば、証紙が設けられるべき構成部材が、重ね合わせの前後関係の最も後側に設けられることにより、この構成部材を取り外すことが難しくなる。すなわち、証紙が設けられる構成部材を取り外すためには、その前側に重ねられる他の構成部材を遊技盤から取り外さなければならず、証紙が設けられる構成部材の取り外しに手間がかかってしまう。このようにすることで、この構成部材に設けられる証紙を不正に転用しようとする者に対して、心理的な抑制効果を発揮することが可能になる。
【００１０】
さらに、飾り枠を複数の構成部材に分割することにより、証紙が設けられるべき構成部材以外の構成部材を、複数機種の弾球遊技機にわたる共用部品として利用できる。これにより、遊技盤に取り付けられる飾り枠のリユース性を向上できるようになる。
【００１１】
本発明に係る弾球遊技機によれば、前記飾り枠を構成し互いに隣接する２つの構成部材のうち、重ね合わせの前後関係において前側に位置する一方の構成部材は、裏面側から遊技盤に向けて突出する取付部を備えるとともに、重ね合わせの前後関係において後側に位置する他方の構成部材は、前記取付部が挿通されるべき挿通孔を備え、前記遊技盤には、各構成部材の挿通孔に対応する位置にそれぞれ取付孔が設けられ、各構成部材は、各取付部を取付孔に係止して抜け止め効果を発揮するものの、各構成部材を破壊することなく取り外し可能な係止構造により、遊技盤に取り付けられている。
【００１２】
かかる構成によれば、証紙が設けられるべき構成部材以外の各構成部材は、リユース可能になる。また、２つの構成部材を１つの係合構造で遊技盤に係止することができる。さらに、その係合構造を外部から視認できないように隠すことが可能になる。
【００１３】
また、本発明によれば、前記証紙が設けられるべき構成部材は、証紙が設けられる領域に隣接して、裏面側から遊技盤に向けて突出する取付部を備えるとともに、前記遊技盤には、取付部に対応する位置に取付孔が設けられ、前記証紙が設けられるべき構成部材は、取付部を取付孔に係止して抜け止め効果を発揮するとともに、構成部材を破壊しない限り取り外し不能な係止構造により、遊技盤に取り付けられている。
【００１４】
かかる構成によれば、証紙が設けられるべき構成部材以外の構成部材を取り外した場合であっても、証紙が設けられるべき構成部材は、取りはずすことができなくなる。また、取付部は、証紙が設けられる領域に隣接して設けられているため、無理に取りはずした場合には、証紙が破れたり、証紙領域にクラックが生じたりする可能性が高くなる。これにより、証紙の再利用を制限することが可能になる。
【発明の効果】
【００１５】
本発明によれば、遊技盤に取り付けられる飾り枠のリユース性を高めるとともに、証紙が設けられている飾り枠を遊技盤から取り外し難くすることができる。
【図面の簡単な説明】
【００１６】
【図１】図１は、本発明の一実施形態に係る弾球遊技機の全体斜視図を示す。
【図２】図２は、遊技盤に飾り枠が設けられた状態を示す斜視図である。
【図３】図３は、遊技盤と飾り枠を示す分解斜視図である。
【図４】図４は、飾り枠の第１構成部材を示す背面図である。
【図５】図５は、飾り枠の第２構成部材を示す背面図である。
【図６】図６は、飾り枠の第３構成部材を示す背面図である。
【図７】図７は、飾り枠が設けられていない状態の遊技盤を示す背面図である。
【発明を実施するための形態】
【００１７】
以下、本発明を実施するための形態について図面を参照しながら説明する。図１〜図７は、本発明に係る弾球遊技機の一実施形態を示す。
【００１８】
本実施形態に係る弾球遊技機は、図１〜図３に示すように、矩形状に枠組みされた外枠１と、外枠１に開閉自在に取り付けられる遊技盤保持枠（図示略）と、遊技盤保持枠の外側（前方側）に配置され、遊技盤保持枠に開閉自在に取り付けられる扉３と、扉３の内側（後方側）に配置され、遊技盤保持枠に保持される遊技盤４とを備える。なお、扉３には、内部の遊技盤４を視認できるように、透明板（例えばガラス板等）からなる窓部（図示略）が設けられている。
【００１９】
そして、弾球遊技機は、遊技盤４に向けて遊技球を発射させるための発射装置（図示略）を操作するためのハンドル６と、発射装置に供給するための遊技球を貯留する受皿７と、電飾用のランプ８，…と、効果音を発生させるスピーカ９，９とを備える。さらに、弾球遊技機は、各部を制御すべく、主制御部及び副制御部を有する制御部（図示略）と、所定の条件で遊技球を払い出す払出装置（図示略）とを内部に備える。
【００２０】
遊技盤４は、所定の情報を表示する表示装置４ａと、発射装置から発射された遊技球を上部に導くためのガイドレール５と、遊技球が通過可能なゲート４ｂと、遊技球が入球可能な入球口４ｃと、遊技球を機内に回収するための回収口４ｄと、遊技球がゲート及び入球口４ｃに入球したことをそれぞれ検出する複数の検出部（図示略）と、所定の入球口を開閉させる開閉手段４ｅと、その盤面に装飾を施すための飾り枠１０とを備える。
【００２１】
なお、遊技盤４には、多数の遊技釘（図示略）が打設されており、遊技領域を転動する遊技球、即ち、上部に導かれた遊技球が、複数の遊技釘に衝突を繰り返しつつ、又は遊技釘間を通って下方に落下する。
【００２２】
遊技盤４は、図２に示すように、その表面に設けられる飾り枠１０を有する。この飾り枠１０は、複数（図例では３つ）に分割されている。
【００２３】
具体的には、飾り枠１０は、第１構成部材１１と、第１構成部材１１に接触するように遊技盤４に取り付けられる第２構成部材１２と、この第２構成部材１２に接触するように遊技盤４に取り付けられる第３構成部材１３とを備える。また、遊技盤４は、図３、図７に示すように、第１構成部材１１を取り付けるための第１取付孔４１と、第２構成部材１２を取り付けるための第２取付孔４２と、第３構成部材１３を取り付けるための第３取付孔４３とを備える。
【００２４】
第１構成部材１１の下部の表面には、証紙を貼り付ける証紙貼付部１５が設けられている。この証紙貼付部１５には、弾球遊技機の製造業者名が掲載された証紙が貼り付けられ、証紙の上部には製造番号や製造業者名、製造年、製造月をそれぞれ記号で表した製造番号票が貼り付けられている。
【００２５】
また、第１構成部材１１は、所定の方向に突出する突起部１７と、遊技盤４の第１取付孔４１に取り付けられる第１取付部１８とを備える。
【００２６】
第１構成部材１１の突起部１７は、図３、図４に示すように、第１構成部材１１の上部から上方に突出するように形成されている。この突起部１７は板状に構成されている。また、この突起部１７は、後述する第２構成部材１２の第２取付部２２が挿通される挿通孔１９を備える。挿通孔１９は、突起部１７の厚さ方向に貫通して形成されている。
【００２７】
第１取付部１８は、図３、図４に示すように、第１構成部材１１の背面側から後方に突出する突起部である。第１取付部１８は、円柱状（又はテーパ状）に構成される。この第１取付部１８の径は、遊技盤４の第１取付孔４１の径より若干大きく形成される。これにより、第１取付部１８は、遊技盤４の第１取付孔４１に圧入される。さらに、第１取付部１８は、遊技盤４の裏面側からの熱溶着によって、抜けはずれないように遊技盤４に固定される。
【００２８】
第２構成部材１２は、所定の方向に突出する突起部２１と、遊技盤４の第２取付孔４２に取り付けられる第２取付部２２を備える。
【００２９】
第２構成部材１２の突起部２１は、図３、図５に示すように、第２構成部材１２の下部から下方に突出するように形成されている。この突起部２１は板状に構成されている。また、この突起部２１は、後述する第３構成部材１３の第３取付部２６が挿通される挿通孔２３を備える。挿通孔２３は、突起部２１の厚さ方向に貫通して形成されている。
【００３０】
第２取付部２２は、図３、図５に示すように、第２構成部材１２の背面側から後方に突出する突起部である。第２取付部２２は、円柱状（又はテーパ状）に構成される。この第２取付部２２の径は、第１構成部材１１の突起部１７に形成される挿通孔１９の径よりも小さく形成されている。また、この第２取付部２２の径は、遊技盤４の第２取付孔４２の径より若干大きく形成される。これにより、第２取付部２２は、第１構成部材１１の突起部１７における挿通孔１９に挿通されるとともに、しまりばめによって遊技盤４の第２取付孔４２に固定される。
【００３１】
第３構成部材１３は、遊技盤４の第３取付孔４３に取り付けられる第３取付部２６を備える。第３取付部２６は、図３、図６に示すように、第３構成部材１３の背面側から後方に突出する突起部である。この第３取付部２６は、円柱状（又はテーパ状）に構成される。この第３取付部２６の径は、第２構成部材１２の突起部２１に形成される挿通孔２３の径よりも小さく形成されている。また、この第３取付部２６の径は、遊技盤４の第３取付孔４３の径より若干大きく形成される。これにより、第３取付部２６は、第２構成部材１２の突起部２１における挿通孔２３に挿通されるとともに、しまりばめによって遊技盤４の第３取付孔４３に固定される。
【００３２】
飾り枠１０は、遊技盤４に対して以下の方法によって取り付けられる。
【００３３】
最初に、第１構成部材１１が遊技盤４に取り付けられる。具体的には、第１構成部材１１の第１取付部１８が、遊技盤の第１取付孔４１に嵌め込まれる。さらに、この第１取付部１８は、遊技盤４に裏面側から熱溶着される。これにより、第１構成部材１１は、遊技盤４に取り外しできないように固定される。このとき、第１構成部材１１は、その突起部１７の挿通孔１９が遊技盤４の第２取付孔４２に一致するように位置付けられる。
【００３４】
次に、第２構成部材１２が遊技盤４に取り付けられる。具体的には、第２構成部材１２の第２取付部２２が、第１構成部材１１の突起部１７に形成されている挿通孔１９に挿通されるとともに、遊技盤４の第２取付孔４２に嵌め込まれる。これにより、第２構成部材１２は、遊技盤４に固定される。このとき、第２構成部材１２の一部は、第１構成部材１１の突起部１７に重ねられることになる。この状態において、第２構成部材１２は、その突起部２１の挿通孔２３が遊技盤４の第３取付孔４３に一致するように位置付けられる。
【００３５】
最後に、第３構成部材１３が遊技盤４に取り付けられる。具体的には、第３構成部材１３の第３取付部２６が、第２構成部材１２の突起部２１に形成されている挿通孔２３に挿通されるとともに、遊技盤４の第３取付孔４３に嵌め込まれる。これにより、第３構成部材１３は、遊技盤４に固定される。このとき、第３構成部材１３の一部は、第２構成部材１２の突起部２１に重ねられることになる。
【００３６】
以上によって、飾り枠１０の遊技盤４への取り付けが完了する。
【００３７】
以上説明したように、遊技盤４が弾球遊技機に取り付けられた状態において、飾り枠１０は、互いに隣接する２つの構成部材の一部がそれぞれ、遊技盤４に対して前後に重ね合わせられた状態になる。すなわち、隣接する第１構成部材１１と第２構成部材１２との重ね合わせの関係では、第２構成部材１２の一部が第１構成部材１１の一部である突起部１７に重ねられる。このとき、重ね合わせの前後関係では、第２構成部材１２の一部が、第１構成部材１１の一部よりも前側に位置することになる。
【００３８】
また、隣接する第２構成部材１２と第３構成部材１３との重ね合わせの関係では、第３構成部材１３の一部が、第２構成部材１２の一部である突起部２１に重ね合わせられる。このとき、重ね合わせの前後関係では、第３構成部１３の一部が、第２構成部材１２の一部よりも前側に位置することになる。
【００３９】
したがって、第１構成部材１１、第２構成部材１２、及び第３構成部材１３における重ね合わせの前後関係では、証紙が設けられるべき第１構成部材１１は、最も後側の遊技盤４側で配された状態で遊技盤４に取り付けられている。また、第３構成部材１３は、最も前側に位置することになる。第２構成部材１２は、第１構成部材１１よりも前側で、第３構成部材１３よりも後側に位置することになる。
【００４０】
また、上記構成の遊技盤４では、飾り枠１０を構成し互いに隣接する２つの構成部材のうち、重ね合わせの前後関係において前側に位置する一方の構成部材は、裏面側から遊技盤４に向けて突出する取付部を備え、後側に位置する他方の構成部材は、その周縁部から外側に向けて突設された突起部に、取付部が挿通されるべき挿通孔を備えることになる。具体的には、互いに隣接する第１構成部材１１と第２構成部材１２とにおける重ね合わせの前後関係においては、前側に位置する第２構成部材１２は、その裏面側から遊技盤４に向けて突出する第２取付部２２を備える。さらに、後側に位置する第１構成部材１１は、その周縁部から外側（例えば上方）に向けて突出する突起部１７に、第２取付部２２が挿通されるべき挿通孔１９を備える。
【００４１】
同様に、互いに隣接する第２構成部材１２と第３構成部材１３における重ね合わせの前後関係においては、前側に位置する第３構成部材１３は、その裏面側から遊技盤４に向けて突出する第３取付部２６を備える。さらに、後側に位置する第２構成部材１２は、その周縁部から外側（例えば下方）に向けて突出する突起部２１に、第３取付部２６が挿通される挿通孔２３を備える。
【００４２】
なお、各構成部材１１〜１３における「裏面」とは、各構成部材１１〜１３の後側の面であり、遊技盤４に対向する面のことをいう。
【００４３】
また、遊技盤４には、各構成部材１１、１２に形成される挿通孔１９、２３に対応する位置にそれぞれ取付孔４２、４３が設けられることになる。さらに、第１構成部材１１を除く各構成部材１２、１３は、各取付部２２、２６を取付孔４２、４３に係止して抜け止め効果を発揮することになる。この係止構造は、各構成部材１２、１３を破壊することなく取り外し可能な構造である。これにより、第２構成部材１２及び第３構成部材１３のリユース性を向上させることが可能になる。
【００４４】
一方、証紙が設けられるべき第１構成部材１１は、証紙が設けられる領域である証紙貼付部１５に隣接して、裏面側から遊技盤に向けて突出する第１取付部１８を備える。遊技盤４には、この第１取付部１８に対応する位置に第１取付孔４１が設けられる。第１構成部材１１は、第１取付部１８を第１取付孔４１に係止させることにより抜け止め効果を発揮するが、この係止構造は、第１取付部１８が熱溶着によって第１取付孔４１に固定されていることから、第１構成部材１１を破壊しない限り取り外し不能なものになる。これにより、第１構成部材１１を遊技盤４から取りはずして証紙が再利用されるということが制限されることになる。
【００４５】
以上説明した本発明に係る弾球遊技機によれば、飾り枠１０を遊技盤４に取り付ける際に、第１構成部材１１の突起部１７に第２構成部材１２の一部を重ね、さらに、第２構成部材１２の突起部２１に第３構成部材１３の一部を重ねて設けることで、第１構成部材１１に設けられる証紙貼付部１５を遊技盤４から取り外すことが難しくなる。すなわち、第１構成部材１１を取り外すには、必ず第２構成部材１２を取り外さなければならず、この第２構成部材１２を取り外すには、第３構成部材１３を取り外さなければならない。したがって、弾球遊技機は、第１構成部材１１を遊技盤４から取り外すために手間がかかるようになっているのである。
【００４６】
これによって、証紙を貼り付ける証紙貼付部１５が設けられている第１構成部材１１を取り外して、転用しようとする場合に、その取り外しに非常に時間がかかることになる。したがって、証紙を転用して悪用しようとする行為を抑止することが可能になる。
【００４７】
さらに、飾り枠１０を第１構成部材１１、第２構成部材１２、及び第３構成部材１３の３つに分割することによって、例えば、証紙貼付部が設けられていない第２構成部材１２や第３構成部材１３を、共用部品として、弾球遊技機の他の機種に利用することも可能になる。これによって、弾球遊技機のリユース性を向上することが可能になる。
【００４８】
さらに、第２構成部材１２は、第１構成部材１１への一部の重ね合わせと、第２取付部２２の第２取付孔４２への取り付けとを同時に行うことができることから、その取り付け作業を効率良く行うことができる。同様に、第３構成部材１３についても、第２構成部材１２への一部の重ね合わせと、第３取付部２６の第３取付孔４３への取り付けとを同時に行うことができるため、取り付け作業を効率良く行うことが可能になる。
【００４９】
なお、本発明に係る弾球遊技機は、上記の実施形態に限定されず、種々の変更・変形が可能である。
【００５０】
例えば、飾り枠１０が、第１構成部材１１、第２構成部材１２、及び第３構成部材１３の３つの部材に分割された例を示したが、これに限定されず、２つ又は４つ以上に分割して構成されてもよい。
【００５１】
上記の実施形態では、第２構成部材１１の第２取付部２２及び第３構成部材１３の第３取付部２６はしまりばめ（圧入）によって、遊技盤４の第２取付孔４２、第３取付孔４３に圧入して固定される例を示したが、これに限定されない。例えば、第２取付部２２、第３取付部２６を第２取付孔４２、第３取付孔４３に圧入した後、遊技盤４の裏面側から、ねじ止めによって、第２取付部２２、第３取付部２６を遊技盤４に固定するようにしてもよい。この場合、第２構成部材１２及び第３構成部材１３は、ねじを取り外すことによって、遊技盤４から取り外すことが可能である。
【００５２】
上記の実施形態では、第１構成部材１１の第１取付部１８が熱溶着によって遊技盤４に固定される構成を例示したが、例えば、第１取付部１８をしまりばめによって、第１取付孔４１に固定してもよい。また、第１取付部１８を、第１取付孔４１に圧入するとともに、遊技盤４の裏面側からねじ止めによって、固定するようにしてもよい。
【００５３】
上記の実施形態では、第１構成部材１１の突起部１７に挿通孔１９を形成し、第２構成部材１２の突起部２１に挿通孔２３を形成した例を示したが、これに限定されない。第１構成部材１１に突起部１７を形成することなく、第１構成部材１１の所定位置に挿通孔１９を形成し、第２構成部材１２を第１構成部材１１に重ねてもよい。第２構成部材１２に突起部２１を形成することなく、第２構成部材１２の所定位置に挿通孔２３を形成し、第３構成部材１３を第２構成部材１２に重ねてもよい。
【符号の説明】
【００５４】
１…外枠、３…扉、４…遊技盤、４ａ…表示装置、４ｂ…ゲート、４ｃ…入球口、４ｄ…回収口、４ｅ…開閉手段、５…ガイドレール、６…ハンドル、７…受皿、８…ランプ、９…スピーカ、１０…飾り枠、１１…第１構成部材、１２…第２構成部材、１３…第３構成部材、１５…証紙貼付部、１７…突起部、１８…第１取付部、１９…挿通孔、２１…突起部、２２…第２取付部、２３…挿通孔、２６…第３取付部、４１…第１取付孔、４２…第２取付孔、４３…第３取付孔
【図１】
2014097215.tif 000003
【図２】
2014097215.tif 000004
【図３】
2014097215.tif 000005
【図４】
2014097215.tif 000006
【図５】
2014097215.tif 000007
【図６】
2014097215.tif 000008
【図７】
2014097215.tif 000009